(57)【要約】【課題】小型が可能な除湿素子およびそれを用いた光学機器を提案すること。【解決手段】除湿素子１０は、除湿膜１、陽極給電体２、陰極給電体３、熱可塑性樹脂にて形成されてたハウジング４、および熱可塑性樹脂にて形成されたフランジ５から構成されており、ハウジング４は、その外面に除湿素子１０を除湿が必要な機器の壁の設けられたネジ孔に螺合するための雄ネジ４３が設けられており、ハウジング４とフランジ５とは共に熱可塑性有機高分子にて形成されて、両者４、５間に除湿膜１を保持した状態で超音波接合により一体化接合されている。【選択図】図３
2006159091.tif 000002
【特許請求の範囲】
【請求項１】
水を電解する陽極と水を発生する陰極とを備えた除湿膜、上記陽極が被除湿空間と接することを可能にする開口部を有する第一除湿膜保持部材、上記第一除湿膜保持部材と共働して上記除湿膜を保持し、上記陰極が水放出空間と接することを可能にする開口部を有する第二除湿膜保持部材を備え、上記第一除湿膜保持部および上記第二除湿膜保持部材のいずれか一方または両方に除湿が必要な機器に取り付ける取付部を設けたことを特徴とする除湿素子。
【請求項２】
上記取付部は、上記機器の壁に明けられた貫通孔に挿通可能な胴部であることを特徴とする請求項1記載の除湿素子。
【請求項３】
上記第一除湿膜保持部材および第二除湿膜保持部材は、共に熱可塑性有機高分子にて形成されており、上記両保持部材は上記両保持部材の間に上記除湿膜を保持した状態で融着されていることを特徴とする請求項１記載の除湿素子。
【請求項４】
上記機器は、上記機器内の空間と接する面を有するレンズを備えた光学機器であることを特徴とする請求項１〜請求項３のいずれか一項記載の除湿素子。
【請求項５】
上記光学機器は、監視カメラであることを特徴とする請求項４記載の除湿素子。
【請求項６】
除湿を要する空間と接する面を有するレンズを備えた光学機器であって、水を電解する陽極と水を発生する陰極とを備えた除湿素子の上記陽極が上記空間と接するように設けられたことを特徴とする光学機器。
【請求項７】
上記光学機器は、監視カメラであることを特徴とする請求項６記載の光学機器。
【発明の詳細な説明】
【技術分野】
【０００１】
本発明は、水蒸気、水滴、あるいはその他の形態の水分（以下では、それらを総称して「水」という。）を大気などの空間中から除去あるいはその量を低減することに好適な除湿素子および上記除湿素子を備えた光学機器に関し、特に電気化学的に除湿を行う除湿素子および上記除湿素子を備えた屋外設置用監視カメラなどの光学機器に関するものである。
【背景技術】
【０００２】
上記除湿素子として、固体高分子電解質膜と、当該の固体高分子電解質膜の一方の面上に形成された通気性を有する導電体からなる陽極と、前記固体高分子電解質膜の他方の面上に、当該陽極と対峙するように形成された通気性を有する導電体からなる陰極にて構成される除湿素子と、前記陽極の周辺部に前記陽極と電気的に接続するように設けられ、外部電源の正電極と電気的接続するための枠体状の陽極側引き出し電極と、前記陰極の周辺部に前記陰極と電気的に接続するように設けられ、前記外部電源の負電極と電気的接続するための枠体状の陰極側引き出し電極と、前記陽極側引き出し電極を覆うように設けられた第一の絶縁性外層膜と、前記陰極側引き出し電極を覆うように設けられた第二の絶縁性外層膜と、前記第一の絶縁性外層膜と前記第二の絶縁性外層膜間に挟持された樹脂層とを備え、前記除湿素子と前記陽極側引き出し電極と前記陰極側引き出し電極と前記第一の絶縁性外層膜と前記第二の絶縁性外層膜とが、前記樹脂層により一体化されてなる除湿素子モジュールが後記特許文献1から従来公知である。
【０００３】
上記特許文献1の段落番号１２および図１には、上記除湿素子モジュールの実施の形態例として、除湿素子の構成部品をＰＥＴフィルムにより一体化された除湿素子モジュール２０が押え板２３の上面に配置され、セットプレート２１とセットネジ２２により密着挟持され、押え板２３上の電源２４により作動する構成が例示されている。
【０００４】
ところで、上記従来技術の除湿素子モジュール除湿素子は、次ぎの種々の問題点を孕んでいる。即ち、第一の問題点として、除湿膜を４枚のＰＥＴフィルムを用いて一体化するものであるために部品点数や生産上の加工工程が多くて製品コスト並びに生産性の面で不利であり、しかも部品点数や生産上の加工工程が多いために品質のバラツキや歩留まりの問題もある。第二の問題点として、上記の工程を経て生産された除湿素子は、セットプレート、押え板、およびセットネジを使用して除湿素子モジュールとするために、ここでもモジュール化のための部品点数が多い。第三の問題点として、モジュール化のためにセットネジを使用するが、最小のセットネジでもネジ部の外径が１ｍｍ程度であるので、かかるネジ部の複数を使用するために除湿素子モジュールの小型化に限界がある。
【特許文献１】特開２００４−３３８８４号公報（請求項１、図１、段落番号１２）。
【発明の開示】
【発明が解決しようとする課題】
【０００５】
監視カメラ、特に屋外設置用監視カメラなどの光学機器の分野において、結露に基づくレンズ内面の曇りが発生する問題があるために、本発明者等は光学機器内を除湿すべく、除湿素子をそれに設置する試みを開始した。しかし従来の除湿素子モジュールは、上記したように、コスト、品質のバラツキ、および小型化の限界などの諸問題を孕んでいるので、就中、屋外設置用監視カメラに設置する場合には、特に小型の除湿素子が必須となるので採用が困難であった。
【０００６】
しかして本発明は、斯界における如上の問題に鑑みて、小型が可能な除湿素子およびそれを用いた光学機器を提案することを課題とするものである。
【課題を解決するための手段】
【０００７】
本発明の除湿素子は、水を電解する陽極と水を発生する陰極とを備えた除湿膜、上記陽極が被除湿空間と接することを可能にする開口部を有する第一除湿膜保持部材、上記第一除湿膜保持部材と共働して上記除湿膜を保持し、上記陰極が水放出空間と接することを可能にする開口部を有する第二除湿膜保持部材を備え、上記第一除湿膜保持部および上記第二除湿膜保持部材のいずれか一方または両方に除湿が必要な機器に取り付ける取付部を設けたことを特徴とするものである。
【０００８】
本発明の光学機器は、除湿を要する空間と接する面を有するレンズを備えた光学機器であって、水を電解する陽極と水を発生する陰極とを備えた除湿素子の上記陽極が上記空間と接するように設けられたことを特徴とするものである。
【発明の効果】
【０００９】
本発明の除湿素子は、当該除湿素子を上記機器に取り付けるための素子取付部を備えた上記第一除湿膜保持部と第二除湿膜保持部材との間に保持された頗る簡単な構造のものであるので、上記機器に取付ける際のセットプレート、押え板、セットネジなどが不要になり、部品点数の削減、取付け性の簡素化、小型化、などの効果が得られる。また、一体化成形用に使用していた上外層フィルム、下外層フィルム、陽極間フィルム、陰極間フィルムなども不要となって、この点からも部品点数の削減や除湿素子製造時の作業性の改善による低コスト化が図れるなど、従来にない顕著な効果を奏するものである。
また本発明の光学機器は、そこに使用する除湿素子が上記した通り小型化が可能なものであるので当該光学機器自体の小型化も可能であり、また当該光学機器の所望の小空間を効果的に除湿できる。
【発明を実施するための最良の形態】
【００１０】
以下において、同じ機能の部位については同じ符号を付して、一部の後続図においては部位の説明を省略することがある。
【００１１】
実施の形態１．
図１〜図５は、本発明の除湿素子における実施の形態１を説明するものであって、図１は当該除湿素子の斜視図、図２は除湿素子に含まれている除湿膜の概略断面図、図３は図１のＡ−Ａ線に沿った断面図、図４は上記除湿素子を他部材に取り付けた状態での断面図、図５は上記除湿素子の他の斜視図である。
【００１２】
図１〜図５において、除湿素子１０は、その主要要素として円形の除湿膜１、陽極給電体２、陰極給電体３、前記第一除湿膜保持部材の一例としてのハウジング４、および前記第二除湿膜保持部材の一例としてフランジ５を含んでいる。
【００１３】
除湿膜１は、周知のように触媒層１１１と多孔質導電体１１２とから構成される陽極１１、触媒層１２１と多孔質導電体１２２とから構成される陰極１２、および上記両極１１、１２の間に位置する固体高分子電解質層１３とから構成されており、陽極１１内および陰極１２内は固体高分子電解質にて充填されている。除湿膜１の具体例として、多孔質導電体１１２の一例としての１２０ｍｍ×１２０ｍｍのチタンメッシュ（厚み１５０μｍ）とデュポン社製の固体高分子電解質膜（商品名；ナフィオン、厚み；１７５μｍ）と多孔質導電体１２２の一例としてのカーボンペーパー（厚み；３００μｍ）とを、但し当該固体高分子電解質膜と当該カーボンペーパーとの間に触媒層１２１の一例としての白金触媒層を介在させた状態で、１９０℃、５０ｋｇｆ／ｃｍ２、保持時間５分の条件でホットプレスにより厚み４５０〜５５０μｍに成形した後、上記チタンメッシュの表面に１０６ｍｍ×１０６ｍｍの範囲で触媒層１１１の一例としての白金を坦持したカーボン粉触媒を塗布したものを成形用金型でφ８．２ｍｍに成形したものが使用されている。なお上記固体高分子電解質膜としては、その両面に白金族の１種あるいは２種以上からなる触媒をメッキあるいは塗布したものであってもよい。
【００１４】
ハウジング４は、ドーナツ状部４１と円筒部４２とから一体的に構成されており、円筒部４２はドーナツ状部４１の外側面に結合されていて、またその外面には除湿素子１０を除湿が必要な機器の壁の設けられたネジ孔に螺合するための雄ネジ４３が設けられている。しかしてハウジング４の胴部たる円筒部４２は、除湿素子１０を除湿が必要な機器に取り付けるための前記取付部、即ち素子取付部として機能する。またドーナツ状部４１の一部には、後記する陽極給電体２の給電足部２２および陰極給電体３の給電足部３２を挿通するための各給電足部用貫通孔が設けられている。当該各貫通孔を設ける位置は、上記両給電足部２２，３２間で短絡が生じない限り特に制限はないが、実施の形態１および後続の各実施の形態では互いに１８０度離れた位置に設けられている。ドーナツ状部４１と円筒部４２とは、いずれもエチレンプロピレン共重合体にスチレン、アクリロニトリルをグラフト共重合させたグラフト共重合体（テクノポリマー製のＡＥＳ樹脂、商品名；ＡＥＳＷ２４０ブラックを使用）にて形成されており、ハウジング４としては、当該共重合体を用いて射出成形されたものが使用されている。
【００１５】
フランジ５は、円筒部５１の一端部にドーナツ状部５２が一体的に結合された構成を有し、ドーナツ状部５２の外面には同心円状のリング状凹部５３および等間隔に放射状に設けられた４個の凹部５４を有する。４個の凹部５４は、除湿素子１０を除湿が必要な上記機器の壁の設けられたネジ孔に螺合する際に、螺合機を嵌める孔として利用される。フランジ５もハウジング４と同様に、上記ＡＥＳＷ２４０ブラックを用いて射出成形されたものが使用されている。
【００１６】
陽極給電体２は、円形の除湿膜１の周縁部と接する円形リング状の給電部２１と当該給電部２１から伸びる細長い板状の給電足部２２とから構成されており、その一端近傍にハトメ２３が設けられている。陽極給電体２としては、耐電解腐蝕性の金属材、例えばチタンの表面に白金メッキしたものが例示され、チタンのロール材を成形用金型により２０個数珠繋ぎの状態で打抜き、曲げ成形を実施した後、表面にサンドブラストおよび白金メッキ（厚さ０．５μｍ）を施し、切断工程で単品に分解したものが使用されている。なお白金メッキしたチタンは、半田付け性が悪いため、陽極１１と電源との接続には、黄銅に金メッキが施されたハトメ２３が使用されている。
【００１７】
陰極給電体３は、陽極給電体２と同形状であって、円形の除湿膜１の周縁部と接する円形リング状の給電部３１と当該給電部３１から伸びる細長い板状の給電足部３２とから構成されており、その一端近傍にハトメ３３が設けられている。陰極給電体３としては、耐腐蝕性の金属材、例えば各種のステンレスが例示され、ＳＵＳ３０４のロール材を成形用金型により、打抜き、曲げ成形を行ったものが使用されている。なおステンレス３０４は、はんだ付け性が悪いため、陰極１２と電源との接続には、黄銅に金めっきが施されたハトメ３３が使用されている。
【００１８】
次に除湿素子１０の組み立て方法を説明すると、上記２個の給電足部用貫通孔のうちの一方に陽極給電体２の給電足部２２を挿通して、給電部２１がハウジング４のドーナツ状部４１の内面に接するように設置し、当該給電部２１の上に除湿膜１を設置する。次いで上記２個の給電足部用貫通孔のうちの残る一方に陰極給電体３の給電足部３２を挿通して給電部３１が除湿膜１と接するようにする。次いで、給電部３１の上にドーナツ状のパッキン３４を設置し、その上にフランジ５の円筒部５１の底面がパッキン３４の上面と接するようにフランジ５を設置し、最後にハウジング４の円筒部４２の頂面部とドーナツ状部５２の裏面とが接触する個所は、超音波４０ｋＨｚ、加圧力５ｋｇｆ／ｃｍ２で０．２秒保持する条件で融合することにより一体成形されている。パッキン３４としては、厚み０．５ｍｍのシリコンシートを成形用金型で成形したものが使用されている。
【００１９】
給電足部２２や給電足部３２の各ハトメ２３、ハトメ３３が上記給電足部用貫通孔を通過できない寸法を有する場合には、給電足部２２や給電足部３２を挿通した後にそれらハトメが設けられる。いずれにせよ、かく金メッキされたハトメ２３およびハトメ３３は、図５に示すように、リード線８とは半田８１にて半田付けされる。
【００２０】
このように組み立てられた除湿素子１０は、水密用のＯリング６と一緒に、図４に示すように、除湿を要する除湿対象機器、例えば屋外設置用の監視カメラ７などの光学機器の外壁７ａ（監視カメラ７は、外壁７ａのみ示す。）に設けられた穿孔の雌ネジに矢印Ｂの方向に挿入し、ハウジング４の円筒部４２の外面に設けられた雄ネジ４３を当該雌ネジに螺合して水密状で取り付けられ、また陽極１１および陰極１２は、監視カメラ７を駆動する電源（図示せず）に接続される。ハウジング４がドーナツ状部４１により構成されることにより開口部４４を有することとなって、除湿膜１の図４での下面側は当該開口部４４を通じて上記監視カメラ７の被除湿空間Ｓ１と接することが可能となる。一方、フランジ５が円筒部５１とドーナツ状部５２とにより構成されることにより開口部５５を有することとなって、除湿膜１の図４での上面側は当該開口部５５を通じて監視カメラ７の水放出空間Ｓ２と接することが可能となる。この結果、後記実施の形態６で説明するように監視カメラ７の対物レンズにおける結露による曇りを防止することができる。
【００２１】
次に除湿膜１の除湿機構を説明すると、除湿素子１０の陽極１１と陰極１２との間に電圧が印加されると、陽極１１では水が電気分解されて下式（１）の反応が生じて被除湿空間Ｓ１の湿度が低下する。
２Ｈ2Ｏ    →    Ｏ2    ＋  ４Ｈ+    ＋    ４ｅ-  ・・・・・・（１）
このとき発生するプロトン（Ｈ＋）は、固体高分子電解質膜１３を通り、電子（ｅ−）は外部回路を通って触媒層１２１と多孔質導電体１２２から構成される陰極１２に達し、下式（２）の反応により酸素を消費して水を発生する。発生した水は、水放出空間Ｓ２に放出される。
Ｏ2    ＋    ４Ｈ+    ＋    ４ｅ-    →  ２Ｈ2Ｏ  ・・・・・・・（２）
さらに上記プロトン（Ｈ＋）とともに平均３分子程度の水が陽極１５から陰極１６へ移動する。したがって陰極１２では式（２）の反応により生成する水とともに、さらに余分の水が陽極１１から移動してきて被除湿空間Ｓ１の湿度を低下させる。
【００２２】
実施の形態２．
図６は、本発明の除湿素子における実施の形態２を説明するものであって、実施の形態１での図４に対応する、除湿素子を他部材に取り付けた状態での断面図である。実施の形態２は、前記実施の形態１とは、ハウジング４の円筒部４２は、その外面に雄ネジ４３が設けられておらず、監視カメラ７の外壁７ａ（監視カメラ７は、外壁７ａのみ示す。）に設けられた貫通孔の内壁面と接着剤４５にて接着されている点で異なり、その他の諸点は同じである。接着剤４５としては、ハウジング４およびフランジ５を形成する前記ＡＥＳ樹脂のＳＰ値と同程度のまたはそれに近いもの、例えば各種のアクリル樹脂系接着剤が例示される。
【００２３】
実施の形態３．
図７は、本発明の除湿素子における実施の形態４を説明するものであって、実施の形態１での図１に対応する、除湿素子の斜視図である。実施の形態４は、前記実施の形態１とは、陽極給電体２の給電足部２２および陰極給電体３の給電足部３２とは、いずれも先端に差込プラグ８２を有するリード線８の当該差込プラグ８２に差し込まれて接続されている点で異なり、その他の諸点は同じである。
【００２４】
実施の形態４．
図８は、本発明の除湿素子における実施の形態５を説明するものであって、実施の形態１での図１に対応する、除湿素子の斜視図である。実施の形態５は、前記実施の形態１とは、陽極給電体２の給電足部２２および陰極給電体３の給電足部３２とは、いずれも先端にカシメ接続が可能なカシメ部８３を有するリード線８の当該カシメ部８３をカシメて続されている点で異なり、その他の諸点は同じである。
【００２５】
実施の形態５．
図９および図１０は、本発明の光学機器の一例として監視カメラ、就中、屋外設置用の監視カメラにおける実施の形態６を説明するものであって、図９は当該監視カメラ７の一部破断部を含む斜視図であり、図１０は図９でのＣ―Ｃ線に沿った断面図である。
【００２６】
図９および図１０において、監視カメラ７は、監視カメラ本体７１、監視カメラ本体７１を収容するハウジング７２、監視カメラ本体７１の先端部を保護するためのクリアドームカバー７３を含む。監視カメラ本体７１は、ハウジング７２内において監視する方向がある角度内で自由に変えられるように保持されており、先端筒部７１１の先端には対物レンズ７１２が設置され、対物レンズ７１２は、クリアドームカバー７３内に露出するレンズ外面７１３と先端筒部７１１内に露出するレンズ内面７１４を有する。先端筒部７１１の外壁７１５には本発明の除湿素子１０、例えば前記実施の形態１〜実施の形態５に示すものなど、が前記実施の形態１〜実施の形態５などで説明された方法などで気密に設置されている。監視カメラ本体７１の陽極給電体２および陰極給電体３は、監視カメラ７を駆動する電源（図示せず）に接続されたリード線８に接続されている。クリアドームカバー７３内は、ハウジング７２に設けられた複数の通気孔７２１を介して大気と連通していて、しかしてレンズ外面７１３は大気と接触している。一方、レンズ内面７１４は、監視カメラ本体７１内の空気と接触している。
【００２７】
監視カメラ７は、通常、長期にわたって設置され続けられ、その間に対物レンズ７１２の内外面７１４、７１３は結露水により曇ることがある。その際、レンズ外面７１３は、クリアドームカバー７３を外して結露水を拭き取ってクリアにすることが容易であるが、レンズ内面７１４の結露水の拭き取りは実際上できない。かかる問題に対して、レンズ内面７１４が接する空間、即ち先端筒部７１１内の空間を被除湿空間Ｓ１とし、レンズ外面７１３が接する空間、即ち先端筒部７１１外の空間を水放出空間Ｓ２とし、除湿素子１０は、その陽極１１が被除湿空間Ｓ１と、陰極１２が水放出空間Ｓ２と、それぞれ接するように先端筒部７１１の外壁に設置されている。かくして先端筒部７１１内の空間は低湿度状態に保持されてはレンズ内面７１４は常にクリア状態に保持される。
【００２８】
以上、本発明を実施の形態１〜実施の形態６により詳細に説明したが、本発明はそれらの実施の形態に制限されるものではなく、本発明の課題並びにその解決手段の精神に則った以下に説明する種々の態様を包含する。
【００２９】
本発明における除湿膜としては、斯界で公知あるいは周知のもの、例えば特開平６−６３３４３号公報、特開２００４−３３８８４号公報、あるいはその他の関係文献などに開示されたものであってもよい。
【００３０】
本発明における第一除湿膜保持部材や第二除湿膜保持部材としては、前記ハウジング４やフランジ５以外の形状を有するものであってよく、要は陽極が被除湿空間と接することを可能にする開口部と陰極が水放出空間と接することを可能にする開口部を有し、且つフランジ５などの第二除湿膜保持部材が、本発明の除湿素子を除湿が必要な機器に取り付けるための素子取付部を有するものであってもよい。
【００３１】
第一除湿膜保持部材や第二除湿膜保持部材の各形成材料としては、陽極と陰極との間の短絡を防止できて、本発明の除湿素子を構成可能な機械的強度を有する構造材料であればよく、しかしてその全体を電気絶縁性の構造材料にて形成する必要はないが、一般的にはその全体を各種の電気絶縁性構造材料にて形成するほうが除湿素子１０の工業的生産上から好ましい。かかる電気絶縁性構造材料として、例えば下記の熱可塑性有機高分子類、熱硬化した有機高分子類、架橋あるいは加硫したゴム類、無機質類などが挙げられる。
【００３２】
熱可塑性有機高分子類としては、ポリエチレン、ポリプロピレン、ポリブテン、ポリ４メチルペンテンなどのポリオレフィン、ポリスチレン、ナイロン、熱可塑性ポリエステル、アクリル樹脂などの従来から良く知られた熱可塑性樹脂類、ポリテトラフルオロエチレン、ポリクロロトリフルオロエチレンなどのフッ素樹脂類、シリコン樹脂類、エチレン−酢酸ビニル共重合体、アクリルニトリル−スチレン共重合体、アクリルニトリル−ブタジエン共重合体などの共重合体類、ポリスチレン系熱可塑性エラストマー、ポリオレフィン系熱可塑性エラストマー、ポリアミド系熱可塑性エラストマーなどの熱可塑性エラストマー類、高耐衝撃性ポリスチレン（ＨIＰＳ）、ＡＢＳ樹脂、実施の形態１で使用されたテクノポリマー製ＡＥＳ樹脂などのエチレンプロピレン共重合体にスチレン、アクリロニトリルをグラフト共重合させたグラフト共重合体（ＡＥＳ樹脂）などのグラフト共重合体類、液晶ポリマー、ポリカーボネート、ポリスルホン、ポリエーテルスルホン、ポリフェニレンオキサイドなどのエンジニアリングプラスチック類、などが例示される。
熱硬化性有機高分子類としては、エポキシ樹脂、メラミン樹脂、フェノール樹脂、などが例示され例示され、それらはガラス繊維、セラミックス繊維、金属繊維、雲母、カーボンブラックなどの補強材にて補強されたものであってもよい。
架橋あるいは加硫したゴム類としては、エチレン−プロピレン共重合ゴム、エチレン−プロピレン−ジエン共重合ゴム、アクリロニトリル−ブタジエンゴム、クロロプレンゴム、エピクロロヒドリンゴム、シリコンゴム、などの電気絶縁性ゴム類などが例示される。
無機質類としては、ガラス、合成石英、セラミックス、などが例示される。
なお、第一除湿膜保持部材と第二除湿膜保持部材とは、必ずしも同一材料で形成される必要はなく、線膨脹係数、耐熱性、耐変形温度などの特性が互いに近似している別種材料であってもよい。
【００３３】
第一除湿膜保持部材と第二除湿膜保持部材との間の接続は、安定した気密性が確保される限り任意であってよく、例えば上記両保持部材の形成材料が熱可塑性有機高分子である場合には超音波溶接などにて溶接する方法、上記形成材料が熱硬化した有機高分子類や無機質類など非熱溶融性材料である場合には接着剤、就中耐水性の接着剤にて接着する方法などが例示される。就中、第一除湿膜保持部材と第二除湿膜保持部材とが共に熱可塑性有機高分子であると、超音波溶接などの融着にて簡単且つ確実に気密に接続可能であるので特に好ましい。
【００３４】
パッキン３４としては、上記した電気絶縁性の各種のゴムにて形成されたものであればよく、実施の形態１では、厚み０．５ｍｍのシリコンゴムシートを成形用金型で成形したものが使用されている。Ｏリング７としては、耐水性と気密性に優れたもの、例えば上記した電気絶縁性の各種のゴムにて形成されたものが例示される。
【産業上の利用可能性】
【００３５】
近時、犯罪の増加により銀行のＡＴＭ、商店街、個人住宅などでの２４時間監視のために、監視カメラの需要が急増している。本発明は、かかる監視カメラでのレンズ内面の曇り防止用に利用の可能性が高い。
【図面の簡単な説明】
【００３６】
【図１】本発明の除湿素子における実施の形態１の斜視図である。
【図２】実施の形態１の除湿素子に含まれている除湿膜の概略断面図である。
【図３】図１のＡ−Ａ線に沿った断面図である。
【図４】実施の形態１の除湿素子を他部材に取り付けた状態での断面図である。
【図５】実施の形態１の他の斜視図である。
【図６】本発明の除湿素子における実施の形態２の断面図である。
【図７】本発明の除湿素子における実施の形態３の斜視図である。
【図８】本発明の除湿素子における実施の形態４の斜視図である。
【図９】本発明の光学機器の一例としての監視カメラにおける実施の形態６の断面図である。
【図１０】図９のＣ―Ｃ線に沿った断面図である。
【符号の説明】
【００３７】
１０  除湿素子、１  除湿膜、１１  陽極、１１１  触媒層、１１２  多孔質導電体、１２  陰極、１２１  触媒層、１２２  多孔質導電体、１３  固体高分子電解質膜、
２  陽極給電体、２１  給電部、２２  給電足部、２３  ハトメ、３  陰極給電体、
３１  給電部、３２  給電足部、３３  ハトメ、３４  パッキン、４  ハウジング、
４１  ドーナツ状部、４２  円筒部、４３  雄ネジ、４４  開口部、４５  接着剤、
５  フランジ、５１  円筒部、５２  ドーナツ状部、５３  リング状凹部、５４  凹部、５５  開口部、６  Ｏリング、７  監視カメラ、７ａ  外壁、７１  監視カメラ本体、
７１１  先端筒部、７１２  対物レンズ、７１３  レンズ外面、７１４  レンズ内面、
７１５  外壁、７２  ハウジング、７２１  通気孔、７３  クリアドームカバー、
８  リード線、８１  半田、８２  差込プラグ、８３  カシメ、Ｓ１  被除湿空間、
Ｓ２  水放出空間。
【図１】
2006159091.tif 000003
【図２】
2006159091.tif 000004
【図３】
2006159091.tif 000005
【図４】
2006159091.tif 000006
【図５】
2006159091.tif 000007
【図６】
2006159091.tif 000008
【図７】
2006159091.tif 000009
【図８】
2006159091.tif 000010
【図９】
2006159091.tif 000011
【図１０】
2006159091.tif 000012